(57)【要約】      （修正有）【課題】津波等の災害に対する有効な避難場所や避難施設がない地域、身近に避難施設を必要とする幼児施設、社会福祉施設等において、多くの人が逸早く避難出来る避難施設を提供する。【解決手段】避難者を収容する避難艇２と、波や瓦礫から避難艇を守る波除ブロック３と、避難艇を設置する設置台４で構成される津波避難施設で、避難艇の排水量を下回る津波においては設置台４に固定された状態の避難施設であり、排水量を上回る危険水位に達した場合は、避難艇が、津波のエネルギーに逆らうことなく漂流する船となり避難者の生命を守るものである。設置場所や環境に合わせて、近傍の公園や空地、建物の屋上等に設置でき、仮設の避難施設としも有効である。【選択図】図１
0003190619.tif 000002
【実用新案登録請求の範囲】
【請求項１】
津波避難施設は、避難者を収容する鍋底型円形船を特徴とする避難艇２と、津波等による波や瓦礫から避難艇２を守るように、津波が来る予想方向に設けられた波除ブロック３と、避難艇を支える設置台４で構成される施設を特徴とする。
【請求項２】
避難艇２は、金属素材及び合成樹脂素材の複合剤及び木材で構成される構造船で、鍋底型円形船を特徴とする船体５と、鋼管又は合成樹脂素材の複合剤で出来た枠を骨組みとするバンパー６と、デッキ７、波が船内に入らないようする為の屋根８と、人員の出入りのためのハッチ９を持つ構造を特徴とする。
【請求項３】
波除ブロック３は、津波等の波や瓦礫から避難艇２を守る様、避難艇２に対し津波が来る方向に設置され、金属素材、コンクリート素材、又は、それらの複合から成る構造物を特徴とする。
【請求項４】
係留解放時衝撃緩和装置１６は、避難艇２、又は、船舶等を係留ロープで設定する水位まで係留状態を保ち、設定する水位を上回る状況においては、避難艇２、又は、船舶等が津波等の波により急激に押し流される状態にならない様、徐々に係留ロープを緩め係留を解く仕組みの装置を特徴とする。
【請求項５】
設置台４は、地盤状況や設置環境を考慮し、避難艇２を安定した状態に保持する様、コンクリート等の素材でできた構造物、又は、鋼管等でタワー状に構成した構造物、又は、砂、砂利等で構成した台を特徴とする。
【考案の詳細な説明】
【技術分野】
【０００１】本考案は、津波等の災害時に避難者を収容する避難艇とその設置台、避難艇を津波による瓦礫から守る波除ブロックで構成さる津波避難施設に関するものである。
【背景技術】
【０００２】津波に対する避難施設としてセーフガードタワー（避難タワー）がある。セーフガードタワーは、鉄骨の構造物のため、波による破損が少なく、公共の避難施設として知られている。また、小規模の避難用構造物で、カプセル型の避難シェルター等が考案されている。
【先行技術文献】
【特許文献】
【０００３】
【特許文献１】特許公開２００８−７４３８５
【考案の概要】
【考案が解決しようとする課題】
【０００４】東日本大震災においては、津波に対応する避難場所まで逃げる事ができず、犠牲となった多くの住民がいる。また、切迫した状況下で警戒地域に留まり、住民の避難誘導、防波堤の操作等公務遂行中に被災した方々も多くいる。今後も大規模な地震災害が予想される中、逸早く避難出来る有効な避難施設や避難場所が少ない。また、大がかりな施設を作ることが出来ない地域も多く点在している。【０００５】セーフガードタワー（避難タワー）は、構築が容易で津波に対しては有効と思われる一方、東日本大震災においては、予想を遥かに上回る高さの津波が発生したことから、設置するタワーの高さや規模の設定に難しいものがある。不動産等に限らず電信柱や線路等予想もしえない物や施設まで大きな被害を受けたことを鑑みると、液状化の起きやすい地域や地盤の悪い場所への設置は難しいものがある。【０００６】先行技術の避難シェルターは、係留型の施設のため、施設周りの障害物や瓦礫の衝突等により内部避難者への衝撃振動の影響が大きいものと思われる。また、形状的に人員収容能力が低く、公共の避難施設としては不向きである。
【課題を解決するための手段】
【０００７】東日本大震災は、東北地方に地震及び津波による甚大な被害をもたらした。特に津波の被害を受けた地域では、多くの犠牲が出た。建物等不動産も壊滅的な状態となっている。その様な中、船舶や車等、水に浮き津波のエネルギーに逆らうことなく漂流した物については、大きな損傷が無い物が多く確認できる。その事から、予測も出来ない津波に対し避難者の生命を守る対策として、避難施設を船舶のように水に浮く構造物にし、津波のエネルギーに逆らうことなく漂流する事が有効である。【０００８】本考案は、鍋底型円形船を特徴とする避難艇２と波除ブロック３と設置台４で構成される津波避難施設で、急を要する災害に応じ避難施設として活用する。津波発生時においては、押し寄せる波や瓦礫等から避難者を守る施設として、避難艇２の排水量を超える規模の津波が発生した場合においては、避難艇２が、津波のエネルギーに逆らうことなく漂流する船となり避難者の生命を守る。【０００９】避難艇２の船体５を鍋底型の円形船にすることにより流水抵抗を低くし、併せて人員収容性、設置時の安定性、漂流時の安定性を図ることが出来る。また、避難艇２周りには、鋼管又は合成樹脂素材等の複合剤で構成されたバンパー６を設け、避難艇２の強度を持たせると共に、漂流時の障害物への激突や、押し寄せる瓦礫等から避難艇２の損傷を防ぎ、避難者の安全を図る。【００１０】波除ブロック３は、避難艇２に対し津波が来る予想方向に設置される構造物で、押し寄せる波や瓦礫から避難艇２の破損や転倒を防止する。内部には係留解放時衝撃緩和装置１６が設置され、避難艇２の排水量を上回る危険水位に達するまで避難艇２を係留状態に保ち、危険水位に達した場合は、係留状態を解く。その際、急激に流される事による衝撃を防ぐため、徐々に係留を解き避難者の安全を図る。【００１１】設置台４は、避難艇２を安定した状態に保持する構造で、設置場所や設置環境に応じ、金属素材、コンクリート素材、砂や砂利等で構成される。【００１２】本考案は、陸上設置型の津波避難施設で、避難艇２と波除ブロック３の広さが有れば設置できるため、有効な避難施設の無い地域、避難に時間を要する幼児施設、非健常者の居る施設等、施設の敷地や屋上、公園や空地等に設置することで選り多くの人命を守ることができる。大規模な地盤工事等は必要としないので、地震等により液状化現象の起きやすい地域にも設置できる利点がある。
【考案の効果】
【００１３】本考案は、鍋底型円形船を特徴とする避難艇２と、津波により押し寄せる瓦礫等から避難艇２を守る波除ブロック３と、避難艇２を設置する設置台４で構成される津波避難施設で、津波発生時においては、押し寄せる波や瓦礫等から避難者を守る施設として、避難艇２の排水量を超える規模の津波が発生した場合においては、避難艇２が、津波のエネルギーに逆らうことなく漂流する船となり、避難者の生命と安全を守るものである。【００１４】避難艇２の船体５を、鍋底型円形船にすることにより、流水抵抗の軽減を図ると共に、人員収容能力、設置時及び漂流時の安定性を図ることが出来る。避難艇周りには鋼管、又は、合成樹脂素材等の複合剤で構成されたバンパー６を設け、避難艇２の強度を持たせると共に、漂流時の障害物への激突や、押し寄せる瓦礫等から避難艇２の損傷を防ぎ、避難艇内避難者の安全を図る。【００１５】様々な場所に合わせた設置が可能で、避難場所の無い湾岸地域、避難に時間を要する幼児施設、非健常者の居る施設等、施設の敷地や建物の屋上、公園や空地に設置することで選り多くの人命を守ることができる。大規模な地盤工事等は必要としないので、地震等により液状化現象の起きやすい地域や、仮設の避難施設を必要とする工事現場等にも有効である。
【図面の簡単な説明】
【００１６】
【図１】本考案（津波避難施設）の構成１例を示す斜視図である。
【図２】避難艇の斜視断面図である。
【図３】波除ブロックの形体１例を示す斜視断面図である。
【図４】設置台の形体１例斜視図である。
【考案を実施するための形態】
【００１７】本考案は、避難者を収容する避難艇２と、瓦礫を伴う津波等から避難艇２を守る波除ブロック３と、避難艇２を設置する設置台４から構成される。
【００１８】避難艇２の船体５を鍋底型円形船にすることにより流水抵抗の軽減を図り、また、人員収容能力、設置時及び漂流時の安定性を図る。避難艇周りには鋼管又は合成樹脂素材等の複合剤で構成されたバンパー６を設け、避難艇２の強度を持たせると共に、漂流時の障害物への激突や押し寄せる瓦礫等から避難艇２の損傷を防ぐ。また、屋根８を設け避難艇内への波等水の侵入を防ぎ、避難艇内避難者の安全を図る。
【００１９】避難艇２には、漂流を示す表示灯１３や標識が備わり、また、最終漂流地点で使用する碇、係留ロープ、脱出用シューター又は梯子等の装備品及び救命装備品等を備える。
【００２０】波除ブロック３は避難艇２に対し津波が来る予想方向に設置され、押し寄せる波や瓦礫から避難艇２の破損や転倒を防止する。また、波除ブロック３には、階段、梯子またはスロープを設け、避難艇内への避難を容易にする。
【００２１】波除ブロック３には、係留解放時衝撃緩和装置１６を設け、避難艇の排水量を下回る水位、又は、安全を考慮し設定した水位では、避難艇が押し流されないように係留状態を保ち、排水量を上回る危険水位、又は、設定水位を上回る水位に達した場合は、浮上する避難艇の係留を解く。その際、急激に押し流される状態にならないよう係留ロープ１２を徐々に解き、避難艇内避難者の安全を図る。
【００２２】設置台４は、設置する場所や環境や状況を考慮し、コンクリートの構造物、鋼管等でタワー状に構成した構造物、又は、砂、砂利等で避難艇２を保持する。
【符号の説明】
【００２３】  １  津波避難施設
２  避難艇
３  波除ブロック
４  設置台
５  船体
６  バンパー
７  デッキ
８  屋根
９  ハッチ
１０  窓
１１  換気口
１２  係留ロープ
１３  漂流表示灯
１４  艇内階段
１５  支柱
１６  係留解放時衝撃緩和装置
１７  避難施設表示灯
【図１】
0003190619.tif 000003
【図２】
0003190619.tif 000004
【図３】
0003190619.tif 000005
【図４】
0003190619.tif 000006
【手続補正書】
【提出日】平成26年2月25日(2014.2.25)
【手続補正１】
【補正対象書類名】実用新案登録請求の範囲
【補正対象項目名】全文
【補正方法】変更
【補正の内容】
【実用新案登録請求の範囲】
【請求項１】
避難者を収容する鍋底型円形船である避難艇２と、津波等による波や瓦礫から前記避難艇２を守るように、津波が来る予想方向に設けられた波除ブロック３と、前記避難艇２を支える設置台４で構成されることを特徴とする津波避難施設。
【請求項２】
前記避難艇２は、金属素材及び合成樹脂素材の複合材及び木材で構成される構造船で、鍋底型円形船である船体５と、鋼管又は合成樹脂素材の複合材で出来た枠を骨組みとするバンパー６と、デッキ７、波が船内に入らないようする為の屋根８と、人員の出入りのためのハッチ９を持つ構造であることを特徴とする請求項１記載の津波避難施設。
【請求項３】
前記波除ブロック３は、津波等の波や瓦礫から前記避難艇２を守る様、前記避難艇２に対し津波が来る方向に設置され、金属素材、コンクリート素材、又は、それらの複合から成る構造物であることを特徴とする請求項１記載の津波避難施設。
【請求項４】
前記避難艇２を係留ロープで設定する水位まで係留状態を保ち、設定する水位を上回る状況においては、前記避難艇２が津波等の波により急激に押し流される状態にならない様、徐々に係留ロープを緩め係留を解く仕組みの係留解放時衝撃緩和装置１６を備えたことを特徴とする請求項１記載の津波避難施設。
【請求項５】
前記設置台４は、地盤状況や設置環境を考慮し、前記避難艇２を安定した状態に保持する様、コンクリート等の素材でできた構造物、又は、鋼管等でタワー状に構成した構造物、又は、砂、砂利等で構成した台であることを特徴とする請求項１記載の津波避難施設。